(57)【要約】【課題】一側端がヒンジ結合された開閉型の竪樋支持具において、開閉環体の閉鎖状態を簡単且つ確実に維持できる竪樋支持具を提供する。【解決手段】竪樋Ｔを抱持して支持すべく、壁面等に固定する固定具１の前方に設けられた半円状の受け環体２と、前記受け環体２の一側端には、基端をヒンジ結合Ｈした開閉自在な半円状の開閉環体３とを備えた竪樋支持具において、上記受け環体２の他側端又は開閉環体３の遊端には、貫通された係止開口部３１を形成すると共に、上記開閉環体３の遊端又は受け環体２の他側端には、外側に向けて円弧状に突出され、且つ、内側から外側に向けて弾性力を有する弾性係止突部２１を設けて成り、この弾性係止突部２１が係止開口部３１の内側から係止されて上記開閉環体２の閉鎖状態を維持する構造にしている。【選択図】図１
2005299250.tif 000002
【特許請求の範囲】
【請求項１】
竪樋を抱持して支持すべく、壁面等に固定する固定具の前方に設けられた受け環体と、前記受け環体の一側端には、基端をヒンジ結合した開閉自在な開閉環体とを備えた竪樋支持具において、
上記開閉環体の遊端には、貫通された係止開口部を形成すると共に、上記受け環体の他側端には、外側に向けて円弧状に突出され、且つ、内側から外側に向けて弾性力を有する弾性係止突部を設けて成り、この弾性係止突部が係止開口部の内側から係止されて上記開閉環体の閉鎖状態を維持する構造にしたことを特徴とする竪樋支持具。
【請求項２】
請求項１において、
上記弾性係止突部の頂部よりも上記受け環体側には、外側に向けて突出したリブ部を形成したことを特徴とする竪樋支持具。
【請求項３】
請求項１又は２の何れかにおいて、
上記弾性係止突部の先端には、上記竪樋を抱持したときに押圧される弾性片が延設され、この弾性片と上記弾性係止突部とが一体形成されていることを特徴とする竪樋支持具。
【請求項４】
請求項１〜３の何れかにおいて、
上記係止開口部は、上記開閉環体の両端に形成され、且つ、上記弾性係止突部は、上記受け環体の両側に形成されて成り、何れか一方の弾性係止突部が、何れか一方の係止開口部と、上記ヒンジ結合されるようにしたことを特徴とする竪樋支持具。
【発明の詳細な説明】
【技術分野】
【０００１】
本発明は、一般住宅やビルなどの建築物の壁面等に沿って配される竪樋を抱持支承する竪樋支持具に関する。
【背景技術】
【０００２】
従来、竪樋を抱持して支持すべく、壁面等に固定する固定具の前方に設けられた半円状の受け環体と、前記受け環体の一側端には、基端をヒンジ結合した開閉自在な半円状の開閉環体と、この開閉環体の閉鎖状態を維持する保持手段を備えた竪樋支持具は、公知である（例えば、特許文献１参照）。
【０００３】
この竪樋支持具は、上記受け環体の両端に、上記竪樋の側面に係止可能な弾性片が延設されており、この弾性片によって上記竪樋を仮支持するものである。
【０００４】
ところで、この竪樋支持具は、上記竪樋を仮支持するための弾性片が形成されている点に特徴はあるが、仮支持後における上記竪樋を抱持して支持するための保持手段については不十分である。
【０００５】
すなわち、上記竪樋を閉鎖するには、上記開閉環体を閉止方向に回動して、この開閉環体に形成した嵌合部を、上記受け環体の他側端に形成した環状部に係止することによって、開閉環体の閉鎖状態を維持するようにしたものである。
【特許文献１】実用新案登録第２５５４９５４号
【発明の開示】
【発明が解決しようとする課題】
【０００６】
しかしながら、仮支持後における上記竪樋は、風雨に晒されるなどの過酷な条件下に設置されることが多く、この竪樋を支持している上記竪樋支持具にも様々な荷重が負荷されるため、特に、大型化された竪樋での上記保持手段では、外れてしまう危険があるという問題があった。
【０００７】
また、上記保持手段を確実にするには、例えば、ボルト、ナットで確実に固定するという手段も考えられるが、これでは、保持手段に手間取ってしまい、作業性が悪いという問題がある。
【０００８】
本発明は、かかる課題を解決することを目的とするもので、一側端がヒンジ結合された開閉型の竪樋支持具において、開閉環体の閉鎖状態を簡単且つ確実に維持できる竪樋支持具を提供する。
【課題を解決するための手段】
【０００９】
上記目的を達成するため、
請求項１に係る竪樋支持具は、竪樋を抱持して支持すべく、壁面等に固定する固定具の前方に設けられた受け環体と、前記受け環体の一側端には、基端をヒンジ結合した開閉自在な開閉環体とを備えた竪樋支持具において、上記開閉環体の遊端には、貫通された係止開口部を形成すると共に、上記受け環体の他側端には、外側に向けて円弧状に突出され、且つ、内側から外側に向けて弾性力を有する弾性係止突部を設けて成り、この弾性係止突部が係止開口部の内側から係止されて上記開閉環体の閉鎖状態を維持する構造にしたことを特徴とする。
【００１０】
このものでは、一側端がヒンジ結合された開閉型の竪樋支持具において、係止開口部に円弧状に形成された弾性係止突部を係止させる構造にしているので、この弾性係止突部を係止開口部に対してスムーズに係止できるうえ、一旦係止された後は、その弾性力によって、弾性係止突部が係止開口部から抜け外れることなく確実に係止され、開閉環体の閉鎖状態を確実に維持できる。
【００１１】
請求項２に係る竪樋支持具は、請求項１において、上記弾性係止突部の頂部よりも上記受け環体側には、外側に向けて突出したリブ部を形成したことを特徴とする。
【００１２】
このものでは、上記弾性係止突部の頂部よりも上記受け環体側にリブ部を形成しているので、開閉環体を閉鎖する際には、このリブ部を容易に乗り越えて閉鎖することができると共に、一旦、閉鎖された後の開閉環体は、リブ部を乗り越え難く、又  開閉環体を開放し難いため、弾性係止突部を係止開口部から抜け外れることを、より確実に防止できる。
【００１３】
請求項３に係る竪樋支持具は、請求項１又は２の何れかにおいて、上記弾性係止突部の先端には、上記竪樋を抱持したときに押圧される弾性片が延設され、この弾性片と上記弾性係止突部とが一体形成されていることを特徴とする。
【００１４】
このものでは、竪樋を抱持したときには、弾性片が竪樋に接触して押圧され、この弾性片に一体形成された弾性係止突部も係止開口部に向けて押圧されるので、弾性係止突部が係止開口部から抜け外れることなくより確実に係止され、開閉環体の閉鎖状態をより確実に維持できる。
【００１５】
請求項４に係る竪樋支持具は、請求項１〜３の何れかにおいて、上記係止開口部は、上記開閉環体の両端に形成され、且つ、上記弾性係止突部は、上記受け環体の両側に形成されて成り、何れか一方の弾性係止突部が、何れか一方の係止開口部と、上記ヒンジ結合されるようにしたことを特徴とする。
【００１６】
このものでは、係止開口部が開閉環体の両端に形成され、且つ、弾性係止突部が受け環体の両側に形成された左右対称にされて成り、何れか一方の弾性係止突部と係止開口部をヒンジ結合できるため、開閉環体の開閉方向を容易に変更できる。
【発明の効果】
【００１７】
本発明によれば、次のような効果がある。
請求項１に係る竪樋支持具によれば、一側端がヒンジ結合された開閉型の竪樋支持具において、係止開口部に円弧状に形成された弾性係止突部を係止させる構造にしているので、この弾性係止突部を係止開口部に対してスムーズに係止できるうえ、一旦係止された後は、その弾性力によって、弾性係止突部が係止開口部から抜け外れることなく確実に係止され、開閉環体の閉鎖状態を確実に維持できる。
【００１８】
請求項２に係る竪樋支持具によれば、弾性係止突部の頂部よりも上記受け環体側にリブ部を形成しているので、開閉環体を閉鎖する際には、このリブ部を容易に乗り越えて閉鎖することができると共に、一旦、閉鎖された後の開閉環体は、リブ部を乗り越え難く、又  開閉環体を開放し難いため、弾性係止突部を係止開口部から抜け外れることを、より確実に防止できる。
【００１９】
請求項３に係る竪樋支持具によれば、竪樋を抱持したときには、弾性片が竪樋に接触して押圧され、この弾性片に一体形成された弾性係止突部も係止開口部に向けて押圧されるので、弾性係止突部が係止開口部から抜け外れることなくより確実に係止され、開閉環体の閉鎖状態をより確実に維持できる。
【００２０】
請求項４に係る竪樋支持具によれば、係止開口部が開閉環体の両端に形成され、且つ、弾性係止突部が受け環体の両側に形成された左右対称にされて成り、何れか一方の弾性係止突部と係止開口部をヒンジ結合できるため、開閉環体の開閉方向を容易に変更できる。
【発明を実施するための最良の形態】
【００２１】
以下、本発明に係る竪樋支持具Ａを図面とともに説明する。
【実施例１】
【００２２】
図１は、本発明に係る竪樋支持具Ａの一実施例を示す斜視図であり、図２（ａ）、（ｂ）は、図１の開閉動作状態を示す平面図である。
【００２３】
ここで、図２（ａ）は、閉鎖状態を示し、図２（ｂ）は、開放状態を各々示している。
【００２４】
この竪樋支持具Ａは、竪樋Ｔを抱持して支持すべく、壁面等に固定する固定具１の前方に設けられた半円状の受け環体２と、この受け環体２の一側端には、基端をヒンジ結合Ｈした開閉自在な半円状の開閉環体３とを備えている。
【００２５】
このようなヒンジ結合Ｈされた開閉型の竪樋支持具Ａにおいて、開閉環体３の遊端には、貫通された１つの係止開口部３１を形成すると共に、受け環体２の他側端には、外側に向けて円弧状に突出され、且つ、内側から外側に向けて弾性力を有する弾性係止突部２１を形成して成り、この弾性係止突部２１が、係止開口部３１の内側から係止されて開閉環体２の閉鎖状態を維持する構造にしている点に特徴がある。
【００２６】
以下、各部材について詳説する。
【００２７】
受け環体２は、帯板を略半円状に形成し、その中央には、受け環体２を建物の壁面等に固着するための固定具１を外方に向けて延設させて固定している。
【００２８】
ここでの固定具１は、図例のような釘状に形成された打込み式の他、壁等からの出具合を調節可能なスライド式のものなど、その構造には限定されない。
【００２９】
また、受け環体２の長手方向には、外方に向けて突出された補強用リブ２２を形成しており、受け環体２の強度を高めている。
【００３０】
一方、開閉環体３は、帯板を略半円状に形成し、その長手方向には、外方に向けて突出された同様の補強用リブ３２を形成しており、開閉環体３の強度を高めている。
【００３１】
このような受け環体２の他側端（ヒンジ結合Ｈの反対側端）には、開閉環体３の係止開口部３１に係止するように、１片を外側に向けて円弧状に突出され、且つ、内側から外側に向けて弾性力を有する弾性係止突部２１を形成している。
【００３２】
この弾性係止突部２１は、円弧状に形成することで、係止開口部３１に対してスムーズに係止できる。
【００３３】
同時に、円弧状の弾性係止突部２１は、内側から外側に向けて弾性力を有するので、係止開口部３１に対して一旦係止された後は、その弾性力によって、弾性係止突部２１が係止開口部３１から抜け外れることなく確実に係止され、開閉環体３の閉鎖状態を確実に維持できる。
【００３４】
また、弾性係止突部２１の頂部よりも受け環体２側には、外側に向けて僅かに突出されたリブ部２１ａを形成している。
【００３５】
このような弾性係止突部２１の頂部よりも受け環体２側にリブ部２１ａを形成することで、開閉環体３を閉鎖する際には、上記頂部の位置で最大に伸ばされた開閉環体３は、その後のリブ部２１ａを容易に乗り越えて閉鎖することができると共に、一旦、閉鎖された後の開閉環体３は、縮められたままでリブ部２１ａに当接されるので、このリブ部２１ａを乗り越え難く、開放し難いため、弾性係止突部２１を係止開口部３１から抜け外れることを、より確実に防止できる。
弾性係止突部２１が係止開口部３１に対して一旦係止された後は、リブ部２１ａを乗り越えなければ、弾性係止突部２１は、係止開口部３１から離脱されないので、弾性係止突部２１が係止開口部３１から抜け外れることをより確実に防止できる。
【００３６】
更に、弾性係止突部２１の先端には、竪樋Ｔを抱持したときに、この竪樋Ｔと接合して押圧されるように、内側に向けて帯状の弾性片２１ｂを延設しており、この弾性片２１ｂは、弾性係止突部２１と一体形成されて成る。
【００３７】
そのため、竪樋Ｔを抱持したときには、この弾性片２１ｂが竪樋Ｔに接合して押圧されるので、この弾性片２１ｂと一体形成された弾性係止突部２１も係止開口部３１に向けて押圧されることとなり、この押圧力と、弾性係止突部２１の弾性力との相乗効果によって弾性係止突部２１が係止開口部３１から抜け外れることなく、より確実に係止され、開閉環体３の閉鎖状態を確実に維持できる。
【００３８】
また、弾性片２１ｂの長さは、竪樋Ｔの大きさや形状によって適宜選択されるが、この弾性片２１ｂの先端は、ヒンジ結合Ｈと竪樋Ｔの中心を結んだ延長線上よりも、開閉環体３側に向けて延設すれば、閉鎖状態前に竪樋Ｔを仮支持できるため望ましい。
【００３９】
なお、本実施例では、開閉環体３の遊端に係止開口部３１を形成すると共に、受け環体２の他側端に弾性係止突部２１を形成したものを例示しているが、このものとは逆の構造、すなわち、開閉環体３の遊端に弾性係止突部２１を形成すると共に、受け環体２の他側端に係止開口部３１を形成しても上記同様の効果を得ることは勿論である。
【００４０】
また、本実施例で示した受け環体２及び開閉環体３は、半円状に形成したものを例示したが、竪樋Ｔの形状に応じて適宜選択されるものであり、本実施例の形状に限定されるものではない。
【実施例２】
【００４１】
図３は、本発明に係る竪樋支持具Ａの他の実施例を示す開閉動作状態の平面図であり、図３（ａ）は、閉鎖状態を示し、図３（ｂ）は、開放状態を各々示している。
【００４２】
なお、図１、図２と共通する部位には、共通の符号を付し、その説明は省略する。
【００４３】
この竪樋支持具Ａでは、係止開口部３１は、開閉環体３の両端に形成され、且つ、弾性係止突部２１は、受け環体２の両側に形成されて成り、何れか一方の弾性係止突部２１が、何れか一方の係止開口部３１と、ヒンジ結合Ｈされるようにしたことを特徴とする。
【００４４】
ここでの受け本体２は、その両端に弾性係止突部２１、リブ部２１ａ、弾性片２１ｂが設けられた左右対称に形成しており、開閉環体３は、その両端に係止開口部３１を形成している。
【００４５】
具体的には、弾性係止突部２１は、貫通された係止開口部３１の内側から弾性係止される点では上記と同様であるが、この係止開口部３１の幅を、弾性係止突部２１よりも略長く形成することによって、図３（ｂ）で示すように、一方の係止開口部３１は、弾性片２１ｂを貫通して、一方の弾性係止突部２１にヒンジ結合Ｈすることができる。
【００４６】
このような竪樋支持具Ａによれば、何れか一方の弾性係止突部２１と係止開口部３１をヒンジ結合できるため、開閉環体３の開閉方向を左、右の何れにでも容易に変更できる。
【産業上の利用可能性】
【００４７】
本発明は、一般住宅やビルなどの建築物の壁面等に沿って配される竪樋を抱持して支持する竪樋支持具として有効に利用することが可能である。
【図面の簡単な説明】
【００４８】
【図１】本発明に係る竪樋支持具Ａの一実施例を示す斜視図である。
【図２】（ａ）、（ｂ）は、図１の開閉動作状態を示す平面図であり、図２（ａ）は、閉鎖状態を示し、図２（ｂ）は、開放状態を各々示している。
【図３】本発明に係る竪樋支持具Ａの他の実施例を示す開閉動作状態の平面図であり、図３（ａ）は、閉鎖状態を示し、図３（ｂ）は、開放状態を各々示している。
【符号の説明】
【００４９】
Ａ    竪樋支持具
Ｔ    竪樋
Ｈ    ヒンジ結合
１    固定具
２    受け環体
２１    弾性係止突部
２１ａ  リブ部
２１ｂ  弾性片
３    開閉環体
３１  係止開口部
【図１】
2005299250.tif 000003
【図２】
2005299250.tif 000004
【図３】
2005299250.tif 000005